(57)【要約】【課題】  副作用のおそれがなく、不必要又は有害な勃起持続を起こさず、性行為の雰囲気を損なう要因が極めて小さい、勃起不全改善器具の実現。【解決の手段】  安定電極対形成能を有する鉱物の複数の管状体１と、その孔部を貫通し、環を形成する、弾性的に伸縮可能な紐体３とから成り、紐体３により管状体１が連結された鎖状の環４で構成する。男性性器を鎖状の環４に挿入して用いる。【選択図】  図１
2005058712.tif 000002
【特許請求の範囲】
【請求項１】
安定電極対形成能を有する鉱物から成る複数の管状体と、
前記複数の管状体の孔部を貫通し、かつ環を形成する、弾性的に伸縮可能な紐体とから成り、
前記紐体により前記管状体が連結された鎖状の環を構成し、
男性性器を前記鎖状の環に挿入して用いる、勃起不全改善器具。
【請求項２】
前記管状体が安定電極対形成能を有する鉱物を少なくとも３３重量％含む、請求項１の勃起不全改善器具。
【請求項３】
前記鉱物が黒色トルマリンである、請求項１の勃起不全改善器具。
【請求項４】
前記連結された複数の管状体の長さの合計の少なくとも二分の一が男性性器に密着し得る、請求項１の勃起不全改善器具。
【請求項５】
男性性器に密着し得る前記複数の管状体が、少なくとも３３重量％の黒色トルマリンを含む、請求項５の勃起不全改善器具。
【請求項６】
前記管状体は、開口部に垂直な断面の外周が円である、請求項１の勃起不全改善器具。
【請求項７】
男性性器に密着し得る前記管状体は、開口部に垂直な断面の外周が円である、請求項４の勃起不全改善器具。
【請求項８】
前記男性性器に密着し得る前記管状体は、開口部に沿った断面の外周が長方形であるか長方形に内接する、請求項７の勃起不全改善器具。
【請求項９】
前記連結された複数の管状体の長さの合計の少なくとも二分の一が男性性器に密着でき、前記男性性器に密着し得る管状体の断面の直径は、それ以外の前記管状体の断面の直径より大である、請求項６の勃起不全改善器具。
【請求項１０】
前記それ以外の前記管状体が孔を有する球状である、請求項９の勃起不全改善器具。
【請求項１１】
前記男性性器に密着し得る前記管状体が、前記それ以外の前記管状体と交互に連結されて成る、請求項９又は１０の勃起不全改善器具。
【請求項１２】
前記管状体が、安定電極対形成能を有する鉱物粒子の集合体である、請求項１の勃起不全改善器具。
【請求項１３】
前記管状体が、少なくとも３３重量％の黒色トルマリン粒子を含む、請求項１２の勃起不全改善器具。
【請求項１４】
前記鉱物粒子が３ミクロン以上の平均粒子径を有する、請求項１２または１３の勃起不全改善器具。
【請求項１５】
安定電極対形成能を有する鉱物から成る複数の第一の管状体と、
前記鉱物以外の成分の、複数の第二の管状体と、
前記第一および第二の管状体の孔部を貫通し、かつ環を形成する、弾性的に伸縮可能な紐体とから成り、
前記紐体により前記第一および第二の管状体が連結された鎖状の環を構成し、
男性性器を前記鎖状の環に挿入して用いる、勃起不全改善器具。
【請求項１６】
前記複数の第一の管状体が男性性器に密着し得る、請求項１５の勃起不全改善器具。
【請求項１７】
前記第一の管状体の長さの合計が、前記連結された前記第一および第二の管状体の長さの合計の少なくとも二分の一である、請求項１６の勃起不全改善器具。
【請求項１８】
前記鎖状の環の少なくとも一部において、前記第一の管状体と前記第二の管状体が交互に連結されて成る、請求項１５の勃起不全改善器具。
【請求項１９】
前記第一の管状体と前記第二の管状体が交互に連結されて成る、請求項１８の勃起不全改善器具。
【発明の詳細な説明】
【発明の詳細な説明】
【技術分野】
【０００１】  本発明は勃起不全改善器具に関する。特に、性行為の雰囲気を損なわないで効果を奏し、副作用のおそれがない勃起不全改善器具に関する。
【背景技術】
【０００２】  男性性器の勃起不全の治療方法として、従来は、精神治療、薬物治療、薬剤注入、勃起補助具の使用等が実用されている。【０００３】  精神治療は長期間を要し、その割りに効果が得られないとされている。勃起補助具の使用は、概して大げさな器具を必要とし、性行為の雰囲気を損なう面が大きい。【０００４】  薬物治療については、過去に多用されたビタミン類やホルモン剤に代わりバイアグラが出現したことにより、有効率はかなり向上した。副作用は、注意をすれば一時マスコミて騒がれたほど大きくないことが、その後明らかになった。【０００５】  モキシライト、パパベリン、フェントラミン等の薬剤の局所注入は、有効率が高く、副作用も少ないと言われるが、専門医の指示が不可欠で、まだあまり普及していない。
【発明が解決しようとする課題】
【０００６】  上述のように、バイアグラは副作用も注意をすれば避けられ、有効率も比較的高いが、その効果は主として心因性のものに限られることが明らかになり、またその作用機序が明らかになるとともに、ニトロ薬剤との相互作用による危険の大きさが認識されるに至った。
【０００７】  適応範囲が限定されるバイアグラと異なり、薬剤の局所注入は効果や安全性が高いとされる反面、行為の直前に、その近傍で局所へ薬剤を注入する作業が必要で、相手に知られれば、雰囲気が大いに損なわれるのはもちろん、男性もその作業をすること自体で心理的影響を免れない。
【０００８】  さらに、薬剤の局所注入は効果の持続性が長所であると同時に短所でもあり、性行為後の通常の生活行動が大いに阻害されるたけでなく、陰茎硬直症を起こすことがしばしばある。
【０００９】  本発明の目的は、副作用のおそれがなく、不必要な又は有害な勃起持続を起こさず、性行為の雰囲気を損なう要因が極めて小さい、勃起不全改善器具を実現することにある。
【課題を解決するための手段】
【００１０】  本発明の上記目的は、安定電極対形成能を有する鉱物から成る複数の管状体と、これら複数の管状体の孔部を貫通し、かつ環を形成する、弾性的に伸縮可能な紐体とから成り、この紐体により管状体が連結された鎖状の環を構成し、男性性器をこの鎖状の環に挿入して用いる、勃起不全改善器具により達成される。
【００１１】  本発明の勃起不全改善器具において管状体は、トルマリン等の安定電極対（エレクトレット）形成能を有する鉱物を３３重量％を超えて含むとき、発明の目的がより効果的に達成される。鉱物は大部分、例えば９０重量％を超えてトルマリン等の安定電極対形成能を有する鉱物を含むことが好ましい。トルマリン等の安定電極対形成能を有する鉱物粒子は、遠赤外線の放射率が高く、また遊離の負イオンを有意に発生することが知られている。
【００１２】  鉱物は、黒トルマリンのような高純度のトルマリンを３３重量％以上含むことが好ましい。トルマリン以外の成分として、例えば酸化ジルコニウム、酸化アルミニウ厶、酸化チタン、酸化鉄を、含んでもよい。
【００１３】  本発明の勃起不全改善器具では、管状体の孔部を貫通する紐体が環を形成することにより、管状体が連結されて鎖状の環を構成し、男性性器をこの鎖状の環に挿入して用いるものである。
【００１４】  管状体は、開口部に垂直な断面の外周が円、すなわち円筒状であることが好ましい。
【００１５】  連結された複数の管状体の長さの合計の少なくとも二分の一が男性性器に密着し得ることが好ましい。特に、この部分の管状体は、開口部に垂直な断面の外周が円であること（例えば円筒状）が好ましい。比較的大きい直径を有する管状体と、それよりも小さい直径を有する管状体とを、紐体を貫通させて連結すれば、前者のみを男性性器に密着させることができる。男性性器に密着し得る管状体は、開口部に沿った断面の外周が長方形（円筒状）であるか長方形に内接する（俵状）ことが好ましい。小さい直径を有する管状体は、孔を有する球体であってもよく、それにより鎖状の環がより柔軟になり、使用感がよくなる。
【００１６】  連結された複数の管状体の長さの合計の少なくとも二分の一を、比較的大きい断面直径を有する円筒状とし、それよりも小さい断面直径を有する管状体と交互に連結すれば、比較的大きい円筒状の管状体を男性性器に密着させることが容易にできる。
【００１７】  管状体は、安定電極対形成能を有する鉱物粒子の集合体であってもよい。この場合、管状体は少なくとも３３重量％の黒色トルマリン粒子を含むことが好ましい。管状体に含まれる鉱物粒子は３ミクロン以上の平均粒子径を有することが好ましい。結合剤が鉱物粒子と共存してもよい。
【００１８】  本発明の勃起不全改善器具は複数の管状体の一部が、安定電極対形成能を有する鉱物以外の成分から成ってもよい。安定電極対形成能を有する鉱物から成る管状体を第一の管状体、他の成分から成る管状体を第二の管状体とするとき、第一の管状体の長さの合計が、連結された第一および第二の管状体の長さの合計の少なくとも二分の一であることが好ましい。複数の第一の管状体は、全てが男性性器に密着し得ることが好ましい。鎖状の環の少なくとも一部において、男性性器に密着し得る第一の管状体が、第二の管状体と交互に連結されていることが好ましい。第一の管状体と第二の管状体が全て交互に連結されていてもよい。
【００１９】  本発明の勃起不全改善器具において、紐体は弾性的に伸縮自在なものとする。これは、環状の紐体により管状体が連結された鎖状の環を男性性器にはめる際および取り外す際、容易に着脱でき、また使用者に痛みや不快な緊迫感を与えないために重要である。弾性的に伸縮自在な紐体は、例えばシリコンゴムで構成することができる。
【００２０】  連結される管状体の個数は、少なくとも５個あればよいが、８個以上が好ましい。８個以上の断面直径の大きい円筒管の間に、それより直径の小さい、外面が球状の管体（ビーズ）が位置するように、それらに弾性伸縮自在の紐を通し、その端を結合して環にし、大小の管状体が交互に連結された鎖状の環を形成してもよい。環の一部で、同等の大きさの管が隣り合っていてもよい。
【００２１】  本発明の勃起不全改善器具は弾性的に伸縮自在の環で構成されているので、勃起する前の状態でも男性性器の頸部のくびれにかかって留まる。安定電極対形成能を有する鉱物から放射される遠赤外線の作用で血流が促進されて、１ないし３分後には男性性器が勃起する。性器の基部まで挿入してもよく、この場合には性器を水平に近く保持すれば、基部に留めることができる。性器が勃起して膨張すれば、弾性的収縮力により頸部のくびれまたは基部に固定される。基部まで挿入した場合は、性行為終了時にも女性性器内に脱落することはない。勃起時の男性性器の頸部に保持する場合にも、環の収縮時最小寸法を十分小さくすれば、頸部のくびれから脱落しないし、コンドームを使用していれば、その中に残留する。あるいは、回収用の細い紐を取り付けておけば、女性性器内への残置を容易に防ぐことができる。
【発明を実施するための最良の形態】
【００２２】  以下に、本発明の実施形態を説明する。
図１は本発明の勃起不全改善器具の平面図であり、図２は図１中の切断面Ｘ−Ｘに沿った断面を拡大して示す。図１において、円筒管１は黒色トルマリン等の鉱物の円筒管、ビーズ２は黒色トルマリン等の球状の管で、円筒管１の断面直径より小さい直径をもつ。円筒管１とビーズ２の中心の孔１ａ，２ａに、シリコンゴム等でできた弾性伸縮自在の紐３を通すことにより、９個の円筒管１と９個のビーズ２が交互に連結され、伸縮自在の鎖状の環４を形成している。鎖状の環４が本発明の勃起不全改善器具である。【００２３】  図３および図４は本発明の勃起不全改善器具の使用状態を示す。図３は本発明の勃起不全改善器具を勃起前の男性性器に着用する際の状態、図４は着用後、その効果により性器が勃起した状態を、それぞれ示す。【００２４】  図３に示すように、勃起前の男性性器１１の頸部１２まで、勃起不全改善器具すなわち鎖状の環４を挿入する。環４は頸部１２のくびれにかかり保持される。環４を形成する円筒管１及びビーズ２の、安定電極対形成能を有する鉱物から放射される遠赤外線の作用で、男性性器１１は勃起して、図４の状態となる。【００２５】  図４に示すように、環４はその収縮力により、膨張した男性性器１１ａの頸部１２ａに固定される。【００２６】  図５および図６は本発明の勃起不全改善器具の別の使用状態を示す。図５は本発明の勃起不全改善器具を勃起前の男性性器に着用する際の状態、図６は着用した後、その効果により性器が勃起した状態を、それぞれ示す。【００２７】  図５に示すように、勃起前の男性性器１１の基部１３まで、勃起不全改善器具すなわち鎖状の環４を挿入する。男性性器１１を手指等でほぼ水平に保持すれば、環４はその基部１３に保持される。図３の場合と同様、遠赤外線の作用で男性性器１１は勃起し、図６の状態となる。【００２８】  図６に示すように、環４はその収縮力により、膨張した男性性器１１ａの基部１３ａに固定される。
【実施例】  ［実施例１］【００２９】  直径約６ｍｍ、長さ７ｍｍ、貫通孔の直径約１．５ｍｍの黒色トルマリンの円筒管１、直径約１．５ｍｍの貫通孔をもつ直径約４ｍｍの球状の黒色トルマリンビーズ２の、それぞれ孔１ａ，２ａに、直径０．８５ｍｍのシリコンゴムの紐３を通し、９個の円筒管１と９個のビーズ２を交互に連結し、伸縮自在の鎖状の環４を形成させた。この環４は、図１に示した勃起不全改善器具に相当する。
この環４を図３に示す方法で年齢７０歳の男性の性器１１に装着したところ、約１．５分後には図４に示すような勃起の状態となった。
【発明の効果】
【００３０】  本発明の勃起不全改善器具は、安定電極対形成能を有する鉱物から成る複数の管状体と、これら複数の管状体の孔部を貫通し、かつ環を形成する、弾性的に伸縮可能な紐体とから成り、この紐体により管状体が連結された鎖状の環で構成されたことにより、副作用のおそれがなく、不必要な又は有害な勃起持続を起こさず、性行為の雰囲気を損なう要因が極めて小さい、勃起不全改善器具が実現された。
【００３１】  これは、本発明の勃起不全改善器具が、鎖状の環として連結された安定電極対形成能を有する鉱物から成る管状体から放射される遠赤外線により、末梢血管の血流を促進させ、環に挿入された男性性器の勃起を誘発するものであるため、副作用を伴わず、また使用終了後男性性器から抜き去れば、不必要又は有害な勃起持続も起こさないことによる。管状体と、それに通した弾性的に伸縮可能な紐体により、伸縮自在の鎖状の環を形成し、この環の内側に勃起前の男性性器を挿入して使用するため、性行為の雰囲気を損なう要因が極めて小さいことによる。
【図面の簡単な説明】
【図１】  本発明の勃起不全改善器具を示す平面図
【図２】  本発明の勃起不全改善器具を示す拡大断面図
【図３】  本発明の勃起不全改善器具の使用状態を示す説明図
【図４】  本発明の勃起不全改善器具の使用状態を示す説明図
【図５】  本発明の勃起不全改善器具の使用状態を示す説明図
【図６】  本発明の勃起不全改善器具の使用状態を示す説明図
【符号の説明】
１    円筒管
２    ビーズ
１ａ，２ａ  孔
３    紐
４    環
１１    男性性器
１１ａ  男性性器
１２    頸部（男性性器の）
１２ａ  頸部（男性性器の）
１３    基部（男性性器の）
１３ａ  基部（男性性器の）
【図１】
2005058712.tif 000003
【図３】
2005058712.tif 000004
【図４】
2005058712.tif 000005
【図５】
2005058712.tif 000006
【図６】
2005058712.tif 000007
【図２】
2005058712.tif 000008